(57)【要約】【課題】常時はキャップの収納部に密封して収納していた粉末茶を、飲用時に本体の飲料水と混合して、風味のある美味しいお茶が味わえるようにしたペットボトルを提案する。【解決手段】粉末茶８を収納する収納部７ａと同収納部の底部７ｄに設けたガイド穴７ｅとキャップ４ネジ着時に本体２の瓶口２ａの下端係止部２ｆに係止する係止部７ｃを設けた中筒体７を収納部７ａ上面の開口端７ｉに嵌合密着して同開口端を閉鎖する閉鎖部４ｅと収納部底部７ｄのガイド穴７ｅを気密的に通過するガイド穴径と同径乃至は若干大きめの外径からなる密栓部６ｂを設けた支持棒６を設けたキャップ４に脱着可能に連結させてキャップ取外し時に中筒体７を飲料水３中に落下せしめて収納されている粉末茶８を飲料水３と混合させるようにしたペットボトル【選択図】図１
2004352302.tif 000002
【特許請求の範囲】
【請求項１】
飲料水を充填した本体の瓶口のネジ部に取脱自在にキャップをネジ着し、該ネジ着したキャップには粉末茶を密閉収納してなる中筒体をキャップのネジ着時に瓶口内に挿入される状態で同キャップに脱着可能に連結すると共にさらにキャップ取外時に該中筒体を飲料水中に落下せしめて中筒体の収納部内の粉末茶と飲料水とを混合させるようにしたペットボトルにおいて、
上記、中筒体は粉末茶を収納するための収納部と同収納部の底部に設けたガイド穴と、キャップのネジ着時、本体の瓶口の下端係止部に係止する係止部とからなり、また、キャップは収納部の上面の開口端に嵌合密着して同開口端を閉鎖する閉鎖部と、収納部のガイド穴を気密的に通過するガイド穴径と同径乃至は若干大きめの外径からなる密栓部を設けた支持棒とからなることを特徴とするペットボトル。
【請求項２】
飲料水を充填した本体の瓶口のネジ部に取脱自在にキャップをネジ着し、該ネジ着したキャップには粉末茶を密閉収納してなる中筒体をキャップのネジ着時に瓶口内に挿入される状態で同キャップに脱着可能に連結すると共にさらにキャップ取外時に該中筒体を飲料水中に落下せしめて中筒体の収納部内の粉末茶と飲料水とを混合させるようにしたペットボトルにおいて、
上記、中筒体は粉末茶を収納するための収納部と同収納部の底部に設けたガイド穴と、キャップのネジ着時、本体の瓶口の下端係止部に係止する係止部とからなり、また、キャップは収納部の上面の開口端に嵌合密着して同開口端を閉鎖する閉鎖部と、収納部のガイド穴を気密的に通過するガイド穴径と同径乃至は若干大きめの外径からなる密栓部と、下端側を押圧寸法が確保される長さでガイド穴より下方に突出させると共にさらに突出した下端部にはガイド穴の穴径より大きな外径からなる押圧部を形成したキャップにネジ着する支持棒とからなることを特徴とするペットボトル。
【請求項３】
上記支持棒の下端の押圧部を下方に拡開形成するテーパ状に形成すると共にさらに該押圧部には支持棒のガイド穴からの離脱方向に沿ってガイド穴からの離脱時その外径寸法を小さくするためのスリ割を設けたことを特徴とする請求項２に記載のペットボトル。
【請求項４】
飲料水を充填した本体の瓶口のネジ部に取脱自在にキャップをネジ着し、該ネジ着したキャップには粉末茶を密閉収納してなる中筒体をキャップのネジ着時に瓶口内に挿入される状態で同キャップに脱着可能に連結すると共にさらにキャップ取外時に該中筒体を飲料水中に落下せしめて中筒体の収納部内の粉末茶と飲料水とを混合させるようにしたペットボトルにおいて、
上記、中筒体は粉末茶を収納するための収納部と同収納部の底部に設けたガイド穴と、キャップのネジ着時、本体の瓶口の下端係止部に係止する係止部とからなり、また、キャップは収納部の上面の開口端に嵌合密着して同開口端を閉鎖する閉鎖部と、収納部のガイド穴を気密的に通過するガイド穴径と同径乃至は若干大きめの外径からなる密栓部と、下端側を押圧寸法が確保される長さでガイド穴より下方に突出させると共にさらに突出した下端にはガイド穴の穴径より大きな外径からなる押圧部を形成したキャップと一体の支持棒とからなることを特徴とするペットボトル。
【発明の詳細な説明】
【０００１】
【発明の属する技術分野】
本発明は飲料容器、例えばペットボトルの改良に係り、より詳しくは飲料水からなる液体成分を本体に、また粉末茶からなる粉末成分をキャップの収納部に別個に収納しておき、これら両者を飲用時に混合して飲用するようにしたペットボトルに関するものである。
【０００２】
【従来技術】
ペットボトル１００の本体１０１に飲料水１０２を充填し、その本体１０１の瓶口１０３をキャップ１０４をネジ着して密閉し、さらにキャップ１０４の内面に突出形成した常時は瓶口内に位置する筒形の収納部１０５に粉末茶（顆粒状の食味材）１０６を入れ、その開口端１０７をシール材１０８でシールした液体成分と粉末成分とを別個に収納させたペットボトルが提案されている。（例えば、特許文献１参照）。
【０００３】
【特許文献１】
特開２００２−１１４２５９号公報（第１頁、図３）。
【０００４】
【発明が解決しようとする課題】
上記従来のものは、飲用時、キャップ１０４を一旦取外して収納部１０５のシール１０８を剥がし、収納部内の粉末茶（食味材）１０６を本体１０１の飲料水１０２中に投入し、再度キャップ１０４をネジ着して混合後、瓶口より取外して飲用するようにしている。
つまり飲用時に初めて粉末茶を飲料水と混合し飲用するため、飲用時には粉末茶本来の風味を損なわない美味しいお茶が味わえる特長がある。
つまり、予め茶葉のエッセンスを飲料水に溶かして作ったり或いは茶葉をお湯で抽出して作ったりしたもの等のように品質を維持するための酸化防止剤や保存剤を添加する必要がなく、お茶自体の味が味わえる。
【０００５】
ところで、上記従来型のペットボトルは、収納部内の粉末茶（食味材）を飲料水と混合するに際し、一旦キャップを取外す必要があること、また、収納部内の粉末茶をペットボトルの瓶口より入れなければならず特に風のある屋外などではこぼしたりし易いこと、収納部が筒形のため奥の粉末茶が全部出ず残留しやすいこと、アルミ箔等の貼着によるシール構造のため浸漬状態にある時は剥がれ易く気密信頼性に欠けること等の問題があった。
【０００６】
【問題を解決するための手段】
本願発明は上記問題点を解決するもので、
第１の発明は、飲料水３を充填した本体２の瓶口２ａのネジ部２ｄに取脱自在にキャップ４をネジ着し、該ネジ着したキャップ４には粉末茶８を密閉収納してなる中筒体７をキャップのネジ着時に瓶口内に挿入される状態で同キャップに脱着可能に連結すると共にさらにキャップ取外時に該中筒体７を飲料水中に落下せしめて中筒体７の収納部７ａ内の粉末茶８と飲料水３とを混合させるようにしたペットボトルにおいて、
上記、中筒体７は粉末茶８を収納するための収納部７ａと同収納部の底部７ｄに設けたガイド穴７ｅと、キャップのネジ着時、本体２の瓶口２ａの下端係止部２ｆに係止する係止部７ｃとからなり、また、キャップは収納部の上面の開口端７ｉに嵌合密着して同開口端を閉鎖する閉鎖部４ｅと、収納部７ａのガイド穴７ｅを気密的に通過するガイド穴径と同径乃至は若干大きめの外径からなる密栓部６ｂを設けた支持棒６とからなることを特徴とするペットボトルを提案するものである。
【０００７】
また、第２の発明は、飲料水３を充填した本体２の瓶口２ａのネジ部２ｄに取脱自在にキャップ４をネジ着し、該ネジ着したキャップ４には粉末茶８を密閉収納してなる中筒体７をキャップのネジ着時に瓶口内に挿入される状態で同キャップに脱着可能に連結すると共にさらにキャップ取外時に該中筒体７を飲料水中に落下せしめて中筒体７の収納部７ａ内の粉末茶８と飲料水３とを混合させるようにしたペットボトルにおいて、
上記、中筒体７は粉末茶８を収納するための収納部７ａと同収納部の底部７ｄに設けたガイド穴７ｅと、キャップのネジ着時、本体２の瓶口２ａの下端係止部２ｆに係止する係止部７ｃとからなり、また、キャップ４は収納部７ａの上面の開口端７ｉに嵌合密着して同開口端７ｉを閉鎖する閉鎖部４ｅと、収納部７ａのガイド穴７ｅを気密的に通過するガイド穴径と同径乃至は若干大きめの外径からなる密栓部６ｂと、下端側を押圧寸法が確保される長さでガイド穴より下方に突出させると共にさらに突出した下端部６ｃにはガイド穴の穴径より大きな外径からなる押圧部６ｆを形成したキャップにネジ着する支持棒６とからなることを特徴とするペットボトルを提案するものである。
【０００８】
また、第３の発明は、上記支持棒６の下端の押圧部６ｆを下方に拡開形成するテーパ状に形成すると共にさらに該押圧部６ｆには支持棒６のガイド穴７ｅからの離脱方向に沿ってガイド穴７ｅからの離脱時その外径寸法を小さくするためのスリ割６ｇを設けたことを特徴とする請求項２に記載のペットボトルを提案するものである。
【０００９】
また、第４の発明は、飲料水３を充填した本体２の瓶口２ａのネジ部２ｄに取脱自在にキャップ４をネジ着し、該ネジ着したキャップ４には粉末茶８を密閉収納してなる中筒体７をキャップのネジ着時に瓶口内に挿入される状態で同キャップに脱着可能に連結すると共にさらに飲料の際のキャップ取外時に該中筒体７を飲料水３中に落下せしめて中筒体７の収納部７ａ内の粉末茶と飲料水とを混合させるようにしたペットボトルにおいて、
上記、中筒体７は粉末茶８を収納するための収納部７ａと同収納部７ａの底部７ｄに設けたガイド穴７ｅと、キャップのネジ着時、本体２の瓶口２ａの下端係止部２ｆに係止する係止部７ｃとからなり、また、キャップ４は収納部７ａの上面の開口端７ｉに嵌合密着して同開口端を閉鎖する閉鎖部４ｅと、下端側を押圧寸法が確保される長さでガイド穴より下方に突出させると共にさらに突出した下端部６ｃにはガイド穴の穴径より大きな外径からなる押圧部６ｆを形成したキャップと一体の支持棒６とからなることを特徴とするペットボトルを提案するものである。
【００１０】
【発明の実施の形態】
以下、本願発明の実施形態を図面に基づき説明する。
図１乃至は図６は本願発明の第１の実施例を示す。
１はペットボトルであり、ペット樹脂（ＰＥＴ）などの合成樹脂製の本体２内にはミネラルウォーター等の飲料水３が充填されている。
また、４は本体２の上部の瓶口２ａに取脱自在にネジ着されるポリプロピレン樹脂（ＰＰ）などの合成樹脂製のキャップであり、側周部４ａの内周壁面４ｂに形成したネジ部４ｃを瓶口２ａの外周面２ｃに形成したネジ部２ｄに対し取脱自在にネジ着している。
【００１１】
またキャップ４の内面には環状の溝部４ｄが形成され、該溝部４ｄにはキャップのネジ着時、瓶口の開口端２ｅに当接するパッキン５が設けられている。
また内面中央には下方に突出する閉鎖部４ｅが形成され、上下２段に形成した外周面４ｆの下部側の小径の外周面には凹状の脱着部４ｇが形成され、さらに閉鎖部４ｇの下端４ｈの長さが側周部４ａの下端４ｉに比して短く形成されている。
【００１２】
また、さらに閉鎖部４ｅには中央に位置してネジ部４ｊが形成され、該ネジ部には後述の支持棒６がネジ着される。
この閉鎖部４ｅのネジ部４ｊと支持棒６のネジ部６ａのネジ関係は、キャップと瓶口のネジ部のネジ着関係とは逆の関係になっている。
つまり、キャップと瓶口の関係が普通ネジ（右ネジ）の関係になっているのに対し、キャップの閉鎖部４ｅのネジ部４ｊと支持棒６のネジ部６ａとのネジ着は左ネジになっており、逆ネジ関係になっている。
【００１３】
７はポリプロピレン樹脂（ＰＰ）、ペット樹脂（ＰＥＴ）等の合成樹脂製の中筒体であり、キャップの閉鎖部４ｅに対し連結される。
中筒体７は収納部７ａと係止部７ｃとからなり、
収納部７ａには上部側の開口端に位置して凸状の被脱着部７ｋと、底部７ｄと、その底部７ｄの中央に位置するガイド穴７ｅとが形成されており、
さらに係止部７ｃには本体２の瓶口２ａの下端係止部２ｆに係止する係止爪部７ｆと、その係止爪部等に適当な弾力を付与するためのスリ割７ｇが形成されている。
【００１４】
６は上記の如くポリプロピレン樹脂（ＰＰ）等の合成樹脂製の支持棒であり、支持棒６の上端のネジ部６ａをキャップ４のネジ部４ｊにネジ着したもので、前述したようにキャップと支持棒とのネジ着は逆ネジの関係でネジ着される。
【００１５】
なお、支持棒６はその下端側付近の密栓部６ｂを収納部７ａの底部７ｄのガイド穴７ｅに挿入して通過させると共にさらに下端部６ｃを同ガイド穴７ｅより若干突出させるようにしている。
また、さらに上記支持棒６はガイド穴７ｅが通過している部分つまり密栓部６ｂの外径がガイド穴７ｅの穴径と同径乃至はそれより若干大きく形成されており、密栓部６ｂがガイド穴７ｅに密着して収納部７ａの気密性を維持するようにしているほか、必要によりガイド穴７ｅより突出する下端部６ｃの端面６ｄに＋、−のドライバー用の嵌合溝や六角レンチ用の六角段穴等の工具用嵌合穴６ｅを形成し、同棒６とキャップ４とのネジ着時におけるネジ着操作をし易くしている。
【００１６】
次ぎに図１及び図３によりキャップと中筒体の組立及びこれら組立てたものを瓶口へ装着する場合に付き説明する。
【００１７】
図２に示すように、まず、中筒体７に対し支持棒６を組付ける。支持棒６を収納部７ａの底部７ｄの下面側から同棒の密栓部６ｂが丁度ガイド穴７ｅに位置するまで挿入する。この状態で収納部７ａの開口端７ｉ側からお茶スリ器等により微粉砕した粉末茶８を収納部７ａ内に充填する。
【００１８】
充填後、キャップ４のネジ部４ｊと支持棒６の上端のネジ部６ａとをネジ着し、最後まで締め付ける。最後まで締め付けるとキャップの閉鎖部４ｅが収納部７ａの開口端７ｉに密着嵌合し同開口端を閉鎖する。
またこの場合、キャップ４の閉鎖部４ｅの脱着部４ｇが収納部７ａの開口端７ｉの被脱着部７ｋに嵌って中筒体７とキャップ４は適当な嵌合力により連結された状態となる。これにより、収納部７ａに充填された粉末茶８はキャップの閉鎖部４ｅと支持棒の密栓部６ｂとにより密封された状態になる（図３参照）。
【００１９】
なお、キャップ４と支持棒６とは上記したように逆ネジの関係にあるため、支持棒６を左回してネジ着するが、この場合、下端側の工具用嵌合穴６ｅにドライバーを差し込み同棒を操作すれば一段とネジ着操作がし易くなる。
【００２０】
上記、収納部に粉末茶８を収納した中筒体７とキャップ４とを支持棒６により連結したものを次ぎに瓶口２ａに装着する。
瓶口２ａに装着する場合、スリ割７ｇを利用して係止爪部７ｆ側を若干窄めた状態で係止爪部７ｆ側から瓶口２ａに挿入する。
【００２１】
そしてキャップを少し強く押さえるようにしながらキャップのネジ部４ｃを瓶口２ａのネジ部２ｄにネジ合わせし締め込んで行く。締め込みによりキャップと一体の中筒体７も下方に押し込まれやがて係止爪部７ｆが瓶口２ａの下端係止部２ｆを乗り越えと、今まで瓶口の内周壁面により外方への広がりが拘束されていた係止爪部７ｆが自体の弾力により外側に広がり、瓶口の下端係止部２ｆに係止し、中筒体７は瓶口２ａからの離脱（上方への離脱）が阻止される。
なお、この場合、キャップは最終的に締付けが完了した状態にあり、キャップ内面のパッキン５は瓶口２ａの開口端２ｅに当接してペットボトル１の気密が維持される（図１参照）。
【００２２】
次ぎに飲用時に付いて図１、図４、図５、図６に基づき説明する。
飲用に際し、図１の状態において、ペットボトル１のキャップ４を左に少し回してネジを緩めと、キャップ４の側周部４ａの下端の不正開放確認部４ｌがキャップの回転に伴って離脱し、一度キャップを開放したことを知らしめる。同時にキャップ４と一体の中筒体７も上方へ移動しようとする。しかし、この時、中筒体７の係止爪部７ｆが瓶口の下端係止部２ｆに係止し、中筒体７は瓶口よりの離脱つまり上方への移動が阻止され、キャップ４の閉鎖部４ｅが収納部７の開口端７ｉより離脱する（図４参照）。
【００２３】
また、この時、キャップと一体の支持棒６も上方（引抜き方向）に移動し、さらにキャップを同方向に回すことにより密栓部６ｂ、次いで下端部６ｃが収納部７ａのガイド穴７ｅから離脱する（図５参照）。
このガイド穴からの離脱は視認できるほか回す力（操作力）が急に軽くなることで自覚できる。
この離脱により中筒体７は拘束されるものが無くなり、自重及び離脱時の反動により本体２内の飲料水３中に落下する（図６参照）。
【００２４】
中筒体７が飲料水に落下した後、キャップを再度締め直し、ボトルを振って混合する。この場合、飲料水中にある中筒体が攪拌部材の役目をし、攪拌が促進され、素早く混合される。混合後、再度、キャップを緩め瓶口より取外し、飲用する。
【００２５】
次ぎに第２の実施例について説明する。
図７乃至図９は第２の実施例を示すもので、
前記、第１の実施例とは、粉末茶を収納する中筒体を支持棒により強制的に飲料水中に落下せしめる点が相違する。
そのため、支持棒６の下端側つまりガイド穴７ｅからの突出寸法ａを長く延長すると共にさらに支持棒の下端にはガイド穴径より外径寸法を大きくした押圧部６ｆを設けている。
【００２６】
つまり、図において、キャップ４を回して緩め、一旦支持棒６をガイド穴７ｅから離脱させた後、再びキャップ４を締付ける方向に回す時、支持棒６の下端側の押圧部６ｆが、収納部７ａの底部７ｄの上面７ｂ側を下方へ押圧して中筒体７を強制的に飲料水中に落下せしめるようしたもので、ガイド穴７ｅから突出する支持棒６のその下端側の長さを延長形成することにより、上記中筒体７に対する押圧落下が適確に行える寸法を確保するようにしている。
【００２７】
なお本実施例では、支持棒６は下端側の長さａを延長形成するだけでなく、さらにその下端に押圧部６ｆを形成した点でも相違している。該押圧部６ｆはガイド穴７ｅの穴径より外径寸法を大きくした下方に拡開するテーパー形状であり、押圧部６ｆのガイド穴７ｅからの離脱をし易くすると共に一旦離脱した後は該押圧部６ｆのガイド穴７ｅへの再挿入が阻止され、確実に底部７ｄの上面７ｂ側を押圧するようになっている。
上記目的を達成するため押圧部６ｆには、抜き差し方向に形成した弾性を付与するためのスリ割６ｇを必要により設けるようにしても良い。
【００２８】
次ぎに第３の実施例に付いて説明する。
図１０乃至図１１は第３の実施例を示すもので、
前記、第１の実施例とは、キャップ４と支持棒６とが連結可能なネジ着構造ではなく、両者が一体形成されている点で相違する。
つまり、粉末茶８を中筒体７に充填する場合、収納部７ａの底部７ｄのガイド穴７ｅから粉末茶８がこぼれ落ちないように、ガイド穴７ｅに支持棒６の下端部６ｃを挿入すると共にキャップ４を持ち上げながら、キャップの閉鎖部４ｅと中筒体の収納部７ａの開口端７ｉ間で形成する隙間から収納部内へ粉末茶８を入れるようにしている。
【００２９】
次ぎに第４の実施例に付いて説明する。
図１２は第４の実施例を示すもので、
前記、第２の実施例の場合キャップと瓶口のネジ部のネジ着が外ネジ方式であるのに対し、本実施例ではキャップ４と中筒体７のネジ着構造が内ネジ方式である点で相違する。つまり、キャップは閉鎖部４ｅの外周面４ｆにネジ部４ｃが形成され、瓶口２は瓶口２ａの内周壁のにネジ部２ｄが形成されている。
【００３０】
なお、上記各実施例はいずれも粉末成分として粉末茶を使用した場合に付いて説明したが、これに限定されることなく、コーヒー粉末、ジュース粉末やその他の食味材粉末の場合のペットボトルとして使用する場合にも実施可能である。
【００３１】
【発明の効果】
請求項１及び２においては、
従来例の如く、粉末茶を飲料水に混合するために一旦キャップを取外すような面倒な操作も必要でなく、一度のキャップの取外し操作により、中筒体が水中に落下するため、中筒体の収納部内の粉末茶が同部内に残ることなく無駄なく飲料水と混合できる。
【００３２】
また、飲料水中に中筒体が落下した状態でペットボトルを振れば、中筒体が攪拌部材の働きをし、粉末茶は素早く確実に飲料水と混合できる。
また、キャップと支持棒がネジ着構造のため、収納部に粉末茶を入れる場合にキャップを外して収納部の開口端が開放した状態で粉末茶を入れることが出来るため、粉末茶の充填作業がし易い。
【００３３】
また、収納部に充填された粉末茶は、通常時においては、その上端側の開口端がキャップの閉鎖部により、また底部側のガイド穴が支持棒により気密的に閉鎖されるため収納部の気密が長期維持され、粉末茶を変質させたりしない。
また、飲料水中に落下した中筒体の収納部は開口端、ガイド穴が共に開放された状態で混合されることになるため、飲料水の流通が良くなり、収納部内に粉末茶を残したりしない。
【００３４】
さらに、請求項２及び４においては、
常時は収納部内の粉末茶を気密的に維持できると共に飲料の際のキャップの取外時、支持棒により中筒体を飲料水中に落下せしめることが出来るため、確実な混合が行える。
【００３５】
また、請求項３においては、
支持棒は、ガイド穴に対する離脱がし易く逆に離脱後はガイド穴の底部を的確押圧することが可能になり、確実に中筒体を飲料水中に落下させることができる。
【図面の簡単な説明】
【図１】本願発明の第１の実施例を示すもので、ペットボトルのキャップのネジ着状態を示す要部断面図。
【図２】同じく、中筒体の収納部に粉末茶を充填した状態の断面図。
【図３】同じく、中筒体の収納部に粉末茶を充填した後、キャップに連結した状態を示す断面図。
【図４】同じく、飲用時にキャップのネジを緩め、キャップが上方に移動し、支持棒の密栓部がガイド穴から離脱する直前の状態を示す断面図。
【図５】同じく、中筒体がキャップから離脱した状態を示す断面図。
【図６】同じく、中筒体が飲料水中に落下した状態を示す断面図。
【図７】本願発明の第２の実施例を示すもので、支持棒により強制的に中筒体を水中に落下せしめる方式であり、ペットボトルのキャップのネジ着状態を示す要部断面図。
【図８】同じく、支持棒がガイド穴から離脱する前の状態を示す断面図。
【図９】同じく、ガイド穴から支持棒が一旦離脱した後、キャップの再締付けにより支持棒の押圧部が収納部の底部を押圧している状態を示す断面図。
【図１０】本願発明の第３の実施例を示すもので、
キャップと支持棒が一体成形されたペットボトルのキャップのネジ着状態を示す要部断面図。
【図１１】同じく、中筒体が支持棒から離脱する直前の状態を示す断面図。
【図１２】本願発明の第４の実施例を示すもので、
内ネジ方式からなるペットボトルのキャップのネジ着状態を示す要部断面図。
【図１３】第１、２の実施例におけるペットボトルの外観図。
【図１４】従来例のペットボトルの要部断面図。
【符号の説明】
１  ペットボトル
２  本体
２ａ  瓶口
２ｄ  ネジ部
２ｆ  下端係止部
３  飲料水
４  キャップ
４ｅ  閉鎖部
４ｃ  ネジ部
４ａ  側周部
４ｂ  内周壁面
４ｊ  ネジ部
６  支持棒
６ａ  ネジ部
６ｂ  密栓部
６ｃ  下端部
６ｆ  押圧部
６ｇ  スリ割
７  中筒体
７ａ  収納部
７ｄ  底部
７ｉ  開口端
７ｅ  ガイド穴
７ｃ  係止部
７ｆ  係止爪部
７ｇ  スリ割
８  粉末茶
【図１】
2004352302.tif 000003
【図２】
2004352302.tif 000004
【図３】
2004352302.tif 000005
【図４】
2004352302.tif 000006
【図５】
2004352302.tif 000007
【図６】
2004352302.tif 000008
【図７】
2004352302.tif 000009
【図８】
2004352302.tif 000010
【図９】
2004352302.tif 000011
【図１０】
2004352302.tif 000012
【図１１】
2004352302.tif 000013
【図１２】
2004352302.tif 000014
【図１３】
2004352302.tif 000015
【図１４】
2004352302.tif 000016